(57)【要約】【課題】確認業務において訂正が必要となった場合に、確認業務から直接変換データの訂正作業が行える精査業務を起動できるサーバおよびプログラムを提供する。【解決手段】実施形態のサーバは、商業施設内の店舗で販売する販売対象の売上に関する紙媒体に示された情報を電子的に変換した複数の項目からなる変換データを入力するデータ入力手段と、前記データ入力手段によって入力された前記変換データの一覧および前記変換データを訂正する項目を指定する指定操作部を表示部の同一画面に表示する表示手段と、前記表示手段によって表示された前記一覧から訂正する前記変換データを指定して前記指定操作部を操作することで、指定された前記変換データの項目を前記表示部に訂正可能に表示する項目表示手段と、前記項目表示手段によって表示された前記変換データを訂正する訂正手段と、を備える。【選択図】図７
2016133917.tif 000002
【特許請求の範囲】
【請求項１】
商業施設内の店舗で販売する販売対象の売上に関する紙媒体に示された情報を電子的に変換した複数の項目からなる変換データを入力するデータ入力手段と、
前記データ入力手段によって入力された前記変換データの一覧および前記変換データを訂正する項目を指定する指定操作部を表示部の同一画面に表示する表示手段と、
前記表示手段によって表示された前記一覧から訂正する前記変換データを指定して前記指定操作部を操作することで、指定された前記変換データの項目を前記表示部に訂正可能に表示する項目表示手段と、
前記項目表示手段によって表示された前記変換データを訂正する訂正手段と、
を備えたサーバ。
【請求項２】
前記表示手段は、前記変換データの一覧と前記指定操作部とを前記同一画面に表示された唯一のタブ内に表示する、
請求項１に記載のサーバ。
【請求項３】
前記項目表示手段は、前記表示手段によって前記同一画面に表示された前記唯一のタブを削除するとともに、前記指定された変換データの訂正する項目を表示した唯一のタブを表示する、
請求項２に記載のサーバ。
【請求項４】
前記販売対象の販売処理を行う販売データ処理装置において作成した前記売上に係る電子的な売上データを入力する入力手段、をさらに備え、
前記項目表示手段は、前記訂正する項目と前記入力手段によって入力された売上データを前記同一画面に並べて訂正可能に表示し、
前記訂正手段は、前記項目表示手段によって表示された前記変換データおよび売上データを訂正する
請求項１乃至３のいずれか一に記載のサーバ。
【請求項５】
前記表示手段は、前記店舗での同一の売上に係る前記変換データと前記売上データを比較して、データが異なる項目を表示する、
請求項４に記載のサーバ。
【請求項６】
サーバを、コンピュータを用いて制御するためのプログラムであって、
前記コンピュータを、
商業施設内の店舗で販売する販売対象の売上に関する紙媒体に示された情報を電子的に変換した複数の項目からなる変換データを入力するデータ入力手段と、
前記データ入力手段によって入力された前記変換データの一覧および前記変換データを訂正する項目を指定する指定操作部を表示部の同一画面に表示する表示手段と、
前記表示手段によって表示された前記一覧から訂正する前記変換データを指定して前記指定操作部を操作することで、指定された前記変換データの項目を前記表示部に訂正可能に表示する項目表示手段と、
前記項目表示手段によって表示された前記変換データを訂正する訂正手段と、
して機能させるためのプログラム。
【発明の詳細な説明】
【技術分野】
【０００１】
本発明の実施形態は、サーバおよびプログラムに関する。
【背景技術】
【０００２】
近年、ショッピングモールやショッピングセンター等の商業施設内に、複数のテナント（ディベロッパーから借り受けて営業するスタイルの店舗）を出店させた販売形態が増加してきている。このような商業施設では、ディベロッパー事務所などに備えられたサーバが、各テナントから送付された売上情報に基づいて各テナントの売上げ等を管理している。
【０００３】
ところで、テナントからは、所定期間（例えば一日）の売上情報として、テナントに備えられたＰＯＳ（Point  of  Sales）端末によって精算された、一日の売上情報等が印字された精算レシートが送付されてくる。また、テナントからは、顧客が取引で使用した商品券・ギフト券等の金券も送付されてくる。
【０００４】
ディベロッパー事務所では、商業施設を運営するディベロッパーの担当者が、送付された精算レシートや金券を画像処理装置で読み取って電子データに変換し、サーバに送信する。そして担当者は、サーバを用いて、変換した変換データに基づいて種々の精査業務を行っていた。
【０００５】
精査業務の一つとして、担当者は、変換データの正誤を、変換データと送付された精算レシートや金券と突き合わせて確認する確認業務を行っている。確認業務は、画像処理装置が、情報の誤読、あるいは誤認識する可能性があるため行われる。確認業務において変換データの訂正が必要となった場合、担当者は、改めてトップメニューから訂正作業を行う精査ツールを起動してから訂正業務を実行する必要があった。
【発明の概要】
【発明が解決しようとする課題】
【０００６】
本発明が解決しようとする課題は、精査業務の一つである確認業務において訂正が必要となった場合に、確認業務から直接変換データの訂正作業が行える精査業務を起動できるサーバおよびプログラムを提供することである。
【課題を解決するための手段】
【０００７】
実施形態のサーバは、商業施設内の店舗で販売する販売対象の売上に関する紙媒体に示された情報を電子的に変換した複数の項目からなる変換データを入力するデータ入力手段と、前記データ入力手段によって入力された前記変換データの一覧および前記変換データを訂正する項目を指定する指定操作部を表示部の同一画面に表示する表示手段と、前記表示手段によって表示された前記一覧から訂正する前記変換データを指定して前記指定操作部を操作することで、指定された前記変換データの項目を前記表示部に訂正可能に表示する項目表示手段と、前記項目表示手段によって表示された前記変換データを訂正する訂正手段と、を備える。
【０００８】
実施形態のプログラムは、サーバを、コンピュータを用いて制御するためのプログラムであって、前記コンピュータを、商業施設内の店舗で販売する販売対象の売上に関する紙媒体に示された情報を電子的に変換した複数の項目からなる変換データを入力するデータ入力手段と、前記データ入力手段によって入力された前記変換データの一覧および前記変換データを訂正する項目を指定する指定操作部を表示部の同一画面に表示する表示手段と、前記表示手段によって表示された前記一覧から訂正する前記変換データを指定して前記指定操作部を操作することで、指定された前記変換データの項目を前記表示部に訂正可能に表示する項目表示手段と、前記項目表示手段によって表示された前記変換データを訂正する訂正手段と、して機能させる。
【図面の簡単な説明】
【０００９】
【図１】図１は、実施形態のショッピングモールのシステムを示す図である。
【図２】図２は、画像処理装置のハードウェア構成を示すブロック図である。
【図３】図３は、テナント管理サーバのハードウェア構成を示すブロック図である。
【図４】図４は、画像処理装置の制御処理の流れを示すフローチャートである。
【図５】図５は、テナント管理サーバの機能構成を示す機能ブロック図である。
【図６】図６は、テナント管理サーバの制御処理の流れの一部を詳細に示すフローチャートである。
【図７】図７は、テナント管理サーバの制御処理の流れを示すフローチャートである。
【図８】図８は、テナント管理サーバの表示部における状況の表示例を示す図である。
【図９】図９は、テナント管理サーバの表示部における別の状況の表示例を示す図である。
【図１０】図１０は、テナント管理サーバの表示部における別の状況の表示例を示す図である。
【発明を実施するための形態】
【００１０】
以下、図１〜図１０を参照して、実施形態に係るサーバおよびプログラムについて説明する。実施形態では、テナント管理サーバをサーバとして説明する。また、テナントを店舗として説明する。また、ショッピングモールを商業施設として説明する。また、ＰＯＳ（Point  of  Sales）端末を販売データ処理装置として説明する。また、商品券を金券の一例として説明する。また、商品を販売対象として説明する。なお、以下に説明する実施形態によりこの発明が限定されるものではない。
【００１１】
図１は、実施形態のショッピングモールのシステムを示す図である。ショッピングモール１は、内部に、商品が陳列された売場８と、主に売場８の裏側に位置しているディベロッパー事務所９を備えている。
【００１２】
売場８には、複数のテナント２が設けられている。テナント２とは、企業がショッピングモール１内の一区画を借り受けて営業する店舗をいう。各テナント２は、ＰＯＳ端末３を備える。実施形態では、ショッピングモール１には、３つのテナント２が出店している。各テナント２には、それぞれ２台のＰＯＳ端末３が設置されている。一方ディベロッパー事務所９には、ＯＣＲ（Optical  Character  Recognition）機能とコード復号機能を備えた画像処理装置４およびテナント管理サーバ５が設置されている。ＯＣＲ機能とは、読み取った画像から文字や数字を認識する機能（以降「文字認識」という）である。復号機能とは、読み取ったシンボルからテナントを特定するテナントコードを復号する機能である。また、テナント２に設置された各ＰＯＳ端末３とディベロッパー事務所９に設置された画像処理装置４とテナント管理サーバ５は、例えばＬＡＮ（Local  Area  Network）等の通信回線６で相互に接続されている。
【００１３】
各テナント２に設置されたＰＯＳ端末３は、当該テナント２で販売する商品の商品情報や決済情報を入力して売上情報を管理する。
【００１４】
ＰＯＳ端末３は、テナント２内で販売される商品から商品コードを読み取って、当該商品の売上に係る商品販売処理を実行する。またＰＯＳ端末３は、所定期間（例えば一日）における当該ＰＯＳ端末３で商品販売処理した商品の売上情報を集計した精算レシート（紙媒体）を印字して発行する。精算レシートの印字内容は、例えば一日で売上げた現金、商品券、クレジット等での売上情報、使用された商品券の枚数等である。実施形態において、テナント２に設置された２台のＰＯＳ端末３から発行された精算レシートの合計が当該テナント２の一日の売上情報である。
【００１５】
また、ＰＯＳ端末３は、精算レシートに印字された売上情報あるいは売上情報とほぼ同じ情報を、売上データとして、通信回線６を介してテナント管理サーバ５に送信する。この売上データには、テナント２を特定するテナントコードが付加されている。
【００１６】
テナント２の担当者は、例えば、ＰＯＳ端末３が発行した精算レシートと、顧客によって使用された商品券（紙媒体）と、精算レシートを発行したテナント２を特定するテナントコードを図形化したシンボルが印刷された用紙を、例えば袋に入れてディベロッパー事務所９に送付する。
【００１７】
ディベロッパー事務所９に設置された画像処理装置４は、光学的に情報を読み取る読取部４７（図２を参照）を備えている。画像処理装置４は、この読取部４７にセットされたシンボル、精算レシート、商品券の情報を光学的に読み取る。画像処理装置４は、読み取ったシンボルを復号化処理してテナントコードを認識する。また、画像処理装置４は、読み取った精算レシートや商品券の情報を文字認識する。そして画像処理装置４は、認識したテナントコード、精算レシートの内容と、商品券の種類と金額を電子データに変換して変換データを生成する。
【００１８】
また、画像処理装置４は、特定されたテナントコードから、同じテナント２に設置されたＰＯＳ端末３から発行された精算レシートの変換データを合算する。また、画像処理装置４は、特定されたテナントコードから、同じテナント２に設置されたＰＯＳ端末３で使用された商品券の変換データを合算する。このようにして画像処理装置４は、所定期間の売上情報等から、一つのテナント２での変換データを生成する。画像処理装置４は、通信回線６を介して変換データをテナント管理サーバ５に送信する。
【００１９】
サーバであるテナント管理サーバ５は、画像処理装置４から送信された変換データを、テナントコードで特定されるテナントの単位で記憶する。加えて、テナント管理サーバ５は、ＰＯＳ端末３から送信された売上データを、テナントコードで特定されるテナントの単位で集計して記憶する。
【００２０】
テナント管理サーバ５での精査業務は、変換データや売上データが正しいデータであるかを確認する確認業務と、変換データや売上データに誤りがあった場合に、変換データや売上データを正しいデータに訂正する訂正業務を含む。
【００２１】
テナント管理サーバ５の担当者は、画像処理装置４から送信された変換データと送付された精算レシートと商品券に基づいて、精査業務の一環である変換データの確認業務を実行する。すなわち、担当者は、画像処理装置４から送信された変換データと送付された精算レシートと商品券とを比較し、変換データが正しいか否かを確認する。加えて、売上げデータが送信された場合は、テナント管理サーバ５の担当者は、画像処理装置４から送信されて精査業務を行った変換データとＰＯＳ端末３から送信された売上データに基づいて、精査業務の一環である変換データおよび売上データの確認業務を実行する。すなわち、精査された変換データと売上データとを比較し、変換データまたは売上げデータが正しいか否かを確認する。
【００２２】
テナント管理サーバ５は、画像処理装置４から送信された変換データとＰＯＳ端末３から送信された売上データを比較して、両データが一致しているか否かの精査処理を実行する。また、テナント管理サーバ５は、両データが一致していない場合に、一致していない項目の欄を他の欄と異なる色で表示して、一致していないことを示す。担当者は、一致していない項目について、正しいデータを入力する訂正業務を実行する。テナント管理サーバ５は、入力された正しいデータに基づいて、該当する項目のデータを訂正処理する。
【００２３】
次に、図２を用いて、画像処理装置４のハードウェアについて説明する。図２において、画像処理装置４は、ＣＰＵ（Central  Processing  Unit）４１、ＲＯＭ（Read  Only  Memory）４２、ＲＡＭ（Random  Access  Memory）４３、メモリ部４４等を備えている。ＣＰＵ４１は、制御主体となる。ＲＯＭ４２は、各種プログラムを記憶する。ＲＡＭ４３は、各種データを展開する。メモリ部４４は、各種プログラムを記憶する。ＣＰＵ４１、ＲＯＭ４２、ＲＡＭ４３、メモリ部４４は、互いにデータバス４５を介して接続されている。ＣＰＵ４１とＲＯＭ４２とＲＡＭ４３が、制御部４００を構成する。すなわち、制御部４００は、ＣＰＵ４１がＲＯＭ４２やメモリ部４４に記憶されＲＡＭ４３に展開された制御プログラム４４１に従って動作することによって、画像の文字認識処理およびシンボルの復号処理を含む後述する制御処理を実行する。
【００２４】
メモリ部４４は、電源を切っても記憶情報が保持されるＨＤＤ（Hard  Disc  Drive）やフラッシュメモリ等の不揮発性メモリで構成され、制御プログラム４４１を含むプログラム等を記憶する。また、メモリ部４４は、パターン情報部４４２とデータ部４４３を備えている。画像処理装置４は、データバス４５およびコントローラ４６を介して、読取部４７を接続している。読取部４７は、載置した原稿を光学的に読み取るスキャナである。
【００２５】
パターン情報部４４２は、図形から文字や数字を特定する文字認識を実行するためのパターン情報を記憶する。文字認識技術とは、画像をコンピュータがパターン情報と比較して文字の認識を行う公知な技術である。実施形態では、画像処理装置４は、パターン情報部４４２に記憶されているパターン情報と読取部４７が光学的に読み取った画像に基づいて特定の文字や数字を文字認識する。
【００２６】
担当者は、送付された袋から、テナントを示すシンボルが印刷された用紙と、精算レシートと商品券を取出す。そして担当者は、これらを読取部４７でスキャンして情報を読み取る。すると画像処理装置４は、読取部４７が読み取ったシンボルを復号して、特定のテナントを示すテナントコードを認識する。また、読み取った精算レシートの画像に基づいて、精算レシートに印字されている売上情報を認識する。また、読み取った商品券に基づいて、商品券の種類と金額を認識する。
【００２７】
データ部４４３は、認識したテナントコード、およびテナントコードに対応して、認識した売上情報、商品券情報を電子化した変換データを記憶する。
【００２８】
画像処理装置４は、変換データをデータ部４４３に記憶する。画像処理装置４は、認識したテナントコードがすでにデータ部４４３に記憶されている場合は、新たに認識した売上情報と商品券情報を、当該テナントコードに対応してすでに記憶されている売上情報と商品券情報に合算して記憶する。
【００２９】
また、データバス４５には、通信部４８を備えている。通信部４８は、通信回線６を介してテナント２に設置された複数のＰＯＳ端末３やテナント管理サーバ５と、電気的に接続されている。
【００３０】
次に、図３を用いて、テナント管理サーバ５のハードウェアについて説明する。図３において、テナント管理サーバ５は、制御主体となるＣＰＵ５１、各種プログラムを記憶するＲＯＭ５２、各種データを展開するＲＡＭ５３、各種プログラムを記憶するメモリ部５４等を備えている。ＣＰＵ５１、ＲＯＭ５２、ＲＡＭ５３、メモリ部５４は、互いにデータバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラム５４１に従って動作することによって、後述する制御処理を実行する。
【００３１】
メモリ部５４は、電源を切っても記憶情報が保持されるＨＤＤ（Hard  Disc  Drive）やフラッシュメモリ等の不揮発性メモリで構成され、制御プログラム５４１を含むプログラム等を記憶する。また、メモリ部５４は、データ部５４２と売上データ部５４３を備えている。
【００３２】
データ部５４２は、画像処理装置４から送信された変換データを記憶する。また、売上データ部５４３は、ＰＯＳ端末３から通信回線６を介して送信された売上データを、テナントコードに対応して記憶する。売上データ部５４３は、同じテナントコードの売上データは、当該テナントコードの売上データに合算して記憶する。
【００３３】
また、データバス５５には、コントローラ５６を介して、操作部５７と表示部６０が接続されている。操作部５７は、種々の操作をするキーを備えたキーボードである。表示部６０は、例えば液晶表示器であり、情報を表示する。また、データバス５５には、通信部５９が接続されている。通信部５９は、通信回線６を介してテナント２に設置された複数のＰＯＳ端末３や画像処理装置４と、電気的に接続されている。
【００３４】
次に、図４を用いて、画像処理装置４の制御処理について説明する。担当者は、送付された袋から、精算レシートと商品券を取出して、読取部４７にセットして、読取操作を実行する。
【００３５】
制御部４００は、読取部４７によって画像が読み取られたか否かを判断する（Ｓ１１）。読み取られたと判断した場合は（Ｓ１１のＹｅｓ）、制御部４００は、読み取られた画像に基づいて文字認識および復号処理を実行する（Ｓ１２）。すなわち、制御部４００は、制御プログラム４４１によって、読み取ったシンボルから特定のテナントを示すテナントコードを認識する。また、制御部４００は、パターン情報部４４２に記憶されている情報に基づいて、特定されたテナント２の売上情報を認識する。また、制御部４００は、パターン情報部４４２に記憶されている情報に基づいて、読み取った商品券から商品券の種類と商品券額等の商品券情報を認識する。
【００３６】
次に制御部４００は、データ部４４３を検索し、Ｓ１２で認識したテナントコードがすでにデータ部４４３に記憶されているか否かを判断する（Ｓ１３）。記憶されていると判断した場合は（Ｓ１３のＹｅｓ）、制御部４００は、すでに記憶されている変換データに、新たに認識した売上情報や商品券情報を変換データに変換して合算し、変換データとしてデータ部４４３に記憶する（Ｓ１４）。また、Ｓ１２で認識したテナントコードがデータ部４４３に記憶されていないと判断した場合は（Ｓ１３のＮｏ）、制御部４００は、認識した売上情報や商品券情報を変換データに変換して、新たにデータ部４４３に記憶する（Ｓ１５）。
【００３７】
また、読取部４７によって画像が読み取られていないと判断した場合は（Ｓ１１のＮｏ）、制御部４００は、図示しない出力キーが操作されたか否かを判断する（Ｓ３１）。出力キーは、画像処理装置４に備えられており、データ部４４３に記憶されている変換データをテナント管理サーバ５に送信するためのキーである。出力キーが操作されたと判断した場合は（Ｓ３１のＹｅｓ）、制御部４００は、データ部４４３に記憶されている変換データを、通信回線６を介してテナント管理サーバ５に送信する（Ｓ３２）。そして制御部４００は、Ｓ１１に戻る。また、出力キーが操作されていないと判断した場合は（Ｓ３１のＮｏ）、制御部４００は、Ｓ１１に戻る。
【００３８】
続いて、図５〜図１０を用いて、テナント管理サーバ５の制御処理について説明する。図５は、テナント管理サーバ５の機能構成を示す機能ブロック図である。制御部５００が、ＲＯＭ５２やメモリ部５４に記憶された、各種精査業務（確認業務や訂正業務）の処理を含む制御プログラム５４１を含む各種プログラムに従うことで、データ入力手段５０１、表示手段５０２、項目表示手段５０３、訂正手段５０４、入力手段５０５を機能させる。
【００３９】
データ入力手段５０１は、商業施設内のテナント２で販売する商品の売上に関する精算レシートや商品券に示された情報を画像処理装置４において電子的に変換した複数の項目からなる変換データを、画像処理装置４から受信して入力する機能を有する。
【００４０】
表示手段５０２は、データ入力手段５０１によって入力された変換データの一覧および変換データを訂正する項目を指定する指定操作部を表示部６０の同一画面に表示する機能を有する。
【００４１】
項目表示手段５０３は、表示手段５０２によって表示された一覧から訂正する変換データを指定して指定操作部を操作することで、指定された変換データの項目を表示部に訂正可能に表示する機能を有する。
【００４２】
訂正手段５０４は、項目表示手段５０３によって表示された前記変換データを訂正する機能を有する。
【００４３】
入力手段５０５は、商品の販売処理を行うＰＯＳ端末３において作成した売上に係る電子的な売上データを入力する機能を有する。
【００４４】
図６および図７は、テナント管理サーバ５の制御処理の流れを示すフローチャートである。図６において、制御部５００（データ入力手段５０１）は、画像処理装置４から変換データが送信されたか否かを判断する（Ｓ４１）。送信されたと判断した場合は（Ｓ４１のＹｅｓ）、制御部５００は、送信された変換データを、テナントコードに対応付けてデータ部５４２に記憶する（Ｓ４２）。この際、制御部５００は、データ部５４２にすでに同一のテナントコードが記憶されている場合は、当該テナントコードに対応して記憶されている変換データに、新たに送信された変換データを合算して記憶する。そして制御部４００は、Ｓ４１に戻る。
【００４５】
また、画像処理装置４から変換データが送信されていないと判断した場合は（Ｓ４１のＮｏ）、制御部５００は、ＰＯＳ端末３から、精算レシートに印字された売上情報を電子化した売上データが送信されたか否かを判断する（Ｓ４４）。売上データが送信されたと判断した場合は（Ｓ４４のＹｅｓ）、制御部５００は、送信された売上データを売上データ部５４３に記憶する（Ｓ４５）。この際、制御部５００は、売上げデータ部５４３にすでに同一のテナントコードが記憶されている場合は、当該テナントコードに対応して記憶されている売上データに、新たに送信された売上データを合算して記憶する。そして制御部４００は、Ｓ４１に戻る。
【００４６】
また、ＰＯＳ端末３から売上データが送信されていないと判断した場合は（Ｓ４４のＮｏ）、制御部５００は、精査指示があったか否かを判断する（Ｓ４７）。精査指示は、例えば、操作部５７に設けられたキーを操作することによって指示される。精査指示があったと判断した場合は（Ｓ４７のＹｅｓ）、制御部５００は、図７に示す精査処理を実行する（Ｓ４８）。そして制御部４００は、Ｓ４１に戻る。また、精査指示がなかったと判断した場合は（Ｓ４７のＮｏ）、制御部５００は、Ｓ４１に戻る。
【００４７】
次に、図７を用いて、精査指示があった場合のＳ４８で実行される精査処理に付いて詳細に説明する。まず制御部５００（入力手段５０５）は、売上データ部５４３に売上データが記憶されているか否かを判断する（Ｓ５１）。例えばメーカーや機種が異なるＰＯＳ端末３は、売上データを送信しない場合がある。売上データ部５４３に売上データが記憶されていると判断した場合は（Ｓ５１のＹｅｓ）、制御部５００は、当該売上データと、当該売上データと同一の売上であってＳ４１において画像処理装置４から受信してデータ部５４２に記憶されている変換データを、項目毎に比較する（Ｓ５２）。実施形態における項目とは、例えば、精算レシートにおける売上情報、商品券での売上情報等である。そして制御部５００は、比較した項目についての種々比較結果を表示した状況表示画面６０ａを表示部６０に表示する（Ｓ５３）。また、売上データ部５４３に売上データが記憶されていないと判断した場合は（Ｓ５１のＮｏ）、制御部５００（表示手段５０２）は、データ部５４２に記憶されている変換データを項目毎に表示した状況表示画面６０ａを表示部６０に表示する（Ｓ５３）。同時に、制御部５００は、後述する精算ボタン６２および商品券ボタン６３を表示部６０に表示する確認処理を実行する（Ｓ５３）。
【００４８】
制御部５００は、Ｓ５３の処理において、上記各表示（テナント欄６１、精算ボタン６２、商品券ボタン６３、終了ボタン６５等）を、同一のタブ６０３内に表示する。タブ６０３は、表示部６０に表示された唯一のタブである。
【００４９】
図８は、Ｓ５１でＹｅｓと判断した場合のＳ５３で表示された状況表示画面６０ａの表示例である。図８において、表示部６０には、各テナントの変換データと売上データを項目ごとに対比したテナント欄６１を並べて表示している（１テナントの情報を１つの欄で表示している）。テナントコード部６１２には、テナント２を特定するテナントコードが表示される。テナント名称部６１３には、テナントコードで特定されるテナントのテナント名称が表示される。
【００５０】
精算部６１４には、当該テナントコードの精算レシートに関する変換データを画像処理装置４から受信してデータ部５４２に記憶しているか否かを表示する。精算レシートに関する変換データを画像処理装置４から受信してデータ部５４２に記憶している場合は、精算部６１４に「○」印が表示される。精算レシートに関する変換データを画像処理装置４から受信していない、またはデータ部５４２に記憶していない場合は、精算部６１４に「未取得」の文字が表示される。商品券に関する変換データを画像処理装置４から受信してデータ部５４２に記憶している場合は、商品券部６１５に「○」印が表示される。商品券に関する変換データを画像処理装置４から受信していない、またはデータ部５４２に記憶していない場合は、商品券部６１５に「未取得」の文字が表示される。
【００５１】
また、変換データと売上データとを比較した結果、精算レシートに関する比較結果が一致した場合は、精算部６１６に「○」印が表示される。精算レシートに関する比較結果が一致しない場合は、精算部６１６に「差額あり」の文字が表示される。また、変換データと売上データとを比較した結果、商品券に関する比較結果が一致した場合は、商品券部６１７に「○」印が表示される。商品券に関する比較結果が一致しない場合は、商品券部６１７に「差額あり」の文字が表示される。
【００５２】
また、精算部６１４、商品券部６１５のいずれかに「未取得」の文字が表示された場合、あるいは、精算部６１６、商品券部６１７のいずれかに「差額あり」の文字が表示された場合は、当該テナントコードで特定されるテナントの欄全体（一行全体）が回りとは色が異なる目立つ色（例えば赤色）で表示される。実施形態では、テナントコード「０００１」で特定されるテナント２の欄６１１が、他のテナントの欄と異なる赤色で表示されている。
【００５３】
図８の例の場合、テナントコード「０００１」で特定されるテナント２において、精算部６１６で表示された精算レシートの項目と商品券部６１７で表示された商品券の項目で、変換データと売上データとが一致していないことが分かる。
【００５４】
また、表示部６０の下部のタブ６０３内には、精算の項目を示す精算ボタン６２（指定操作部）、商品券の項目を示す商品券ボタン６３（指定操作部）、精査業務を終了するための終了ボタン６５が表示される。このように、精算ボタン６２や商品券ボタン６３が、変換データとともに同一のタブ６０３内に表示されることで、担当者は、変換データを確認しながら精算ボタン６２や商品券ボタン６３を操作することができる。
【００５５】
なお、Ｓ５１において、売上げデータを記憶していないと判断した場合は（Ｓ５１のＮｏ）、制御部５００は、各テナント欄６１に変換データのみを表示する。この場合、精算部６１６と商品券部６１７は空欄となる。
【００５６】
図７の説明に戻る。次に制御部５００は、精算ボタン６２が操作されたか否かを判断する（Ｓ６１）。操作されたと判断した場合は（Ｓ６１のＹｅｓ）、制御部５００（情報指定手段５０３）は、特定のテナント２が指定されているか否かを判断する（Ｓ６２）。上述のように、変換データと売上データが一致しない項目がある場合、制御部５００は、当該テナント欄６１（図８の場合はテナント欄６１１）を指定する。また、担当者が、表示部６０に表示されたテナント２の欄から訂正するテナント２の欄を指定することもできる。テナント２の指定は、表示部６０に表示されたテナント２の欄を指でタッチするか、カーソルを操作して行う。例えば、Ｓ５１において売上げデータを記憶していないと判断し、各テナント欄６１に変換データのみを表示した場合、担当者が訂正したいテナント欄６１を指定する。
【００５７】
特定のテナント欄６１が指定されていると判断した場合は（Ｓ６２のＹｅｓ）、制御部５００（項目表示手段５０３）は、Ｓ６２で指定されたテナント欄６１の精算の項目について、制御プログラム４４１の一機能である訂正業務が可能な精査業務を起動して、当該項目の変換データと売上データを並べて精算修正画面をタブ６０５内に表示する（Ｓ６３）。この際、制御部５００は、Ｓ５３で表示した状況表示画面が表示されたタブ６０３は表示部６０からから削除する。この状態で、タブ６０５は、表示部６０に表示された唯一のタブである。タブ６０３を削除しタブ６０５のみを唯一表示する理由は、担当者が訂正業務を実行する場合に状況表示画面は不要であるので、精算修正画面のみを表示させることで担当者の操作性を向上させるためである。また、テナントが指定されていないと判断した場合は（Ｓ６２のＮｏ）、制御部５００は、テナントを指定するように促すメッセージを表示部６０に表示するエラー処理を実行する（Ｓ６７）。そして制御部５００は、Ｓ５３の状況表示画面６０ａに戻る。
【００５８】
図９は、Ｓ６３において、精算ボタン６２の操作によって指定された精算レシートの項目について、変換データ６８と売上データ６９を並べて表示した例である。図９において、表示部６０は、精査をした勘定日６０１、Ｓ６２で指定されたと判断されたテナントのテナント名６０２が表示される。また、表示部６０は、精算レシートの詳細内容６０４を表示する。そして表示部６０は、精算レシートの項目のうち、Ｓ５２で比較した結果一致しなかった内容について、それぞれのデータを表示する。
【００５９】
図９の例では、商品券の売上データが一致しなかったとして、商品券の売上に関する画像処理装置４で読み取った変換データ６８１として「５００円」を表示している。また、商品券の売上に関する売上データ６９１として「０円」を表示している。なお、実施形態では、精算レシートの項目の商品券の売上データ以外の変換データおよび売上データは、両データが一致しているため表示されない。一致していないデータのみが表示される。
【００６０】
また、表示部６０には、訂正を確定するための確定ボタン６６、表示部６０の表示を図８の状況表示画面６０ａに戻す状況表示ボタン６７、精査業務を終了する終了ボタン６５を表示される。なお、訂正する精算レシートの内容６０４の内容、確定ボタン６６、状況表示ボタン６７、終了ボタンは、タブ６０５内に同時に表示されている。また、状況表示画面が表示されたタブ６０３は表示部６０から削除されている。
【００６１】
担当者は、図９のように表示された変換データと売上データのうち誤っているデータを訂正する。担当者は、訂正するデータを指定して、操作部５７から正しいデータを入力して、誤っているデータを訂正する訂正業務を行う。そして担当者は、訂正が終了したら、確定ボタン６６を操作する。
【００６２】
なお、売上げデータ部５４３に売上データが記憶されていない場合（すなわち、Ｓ５１のＮｏの場合）は、売上げデータが表示されない。この場合は、担当者は、表示されている変換データに基づいて、訂正するデータを指定して、精算レシートや商品券に基づいて正しいデータに訂正する。
【００６３】
図７の説明に戻る。制御部５００は、確定ボタン６６が操作されたか否かを判断する（Ｓ６４）。操作されたと判断した場合は（Ｓ６４のＹｅｓ）、制御部５００（訂正手段５０４）は、データ部５４２に記憶された変換データおよび売上データ部５４３に記憶された売上データの何れか一方または両方を、訂正されたデータに基づいて訂正する訂正処理を実行する（Ｓ６５）。
【００６４】
また、確定ボタン６６が操作されていないと判断した場合は（Ｓ６４のＮｏ）、制御部５００は、状況表示ボタン６７が操作されたか否かを判断する（Ｓ６６）。操作されたと判断した場合は（Ｓ６６のＹｅｓ）、制御部５００は、Ｓ５３に戻り、図８の状況表示画面６０ａを表示したタブ６０３を表示する。この際、制御部５００は、Ｓ６３において精算修正画面を表示したタブ６０５を表示部６０から削除する。また、状況表示ボタン６７が操作されていないと判断した場合は（Ｓ６６のＮｏ）、制御部５００は、Ｓ６４に戻る。
【００６５】
また、精算ボタン６２は操作されていないと判断した場合は（Ｓ６１のＮｏ）、次に制御部５００は、商品券ボタン６３が操作されたか否かを判断する（Ｓ７１）。操作されたと判断した場合は（Ｓ７１のＹｅｓ）、制御部５００は、特定のテナントが指定されているか否かを判断する（Ｓ７２）。特定のテナントが指定されていると判断した場合は（Ｓ７２のＹｅｓ）、制御部５００（項目表示手段５０３）は、指定されたテナントの、制御プログラム４４１の一機能である訂正業務が可能な精査業務を起動して、商品券の項目について、変換データと売上データを並べて商品券修正画面をタブ６０６内に表示する（Ｓ７３）。この際、制御部５００は、Ｓ５３で表示した状況表示画面が表示されたタブ６０３を表示部６０から削除する。すなわち、タブ６０６は、表示部６０に表示された唯一のタブである。タブ６０３を削除し、タブ６０６のみを表示する理由は、担当者が訂正業務を実行する場合には、状況表示画面は不要であるため、商品券修正画面のみを表示させることで担当者の操作性を向上させるためである。
【００６６】
その後、制御部５００は、Ｓ６４、Ｓ６５、Ｓ６６の処理を実行する。Ｓ６６においてＹｅｓと判断した場合、制御部５００は、Ｓ５３に戻り、図８の状況表示画面６０ａを表示したタブ６０３を表示する。この際、制御部５００は、Ｓ７３において商品券修正画面を表示したタブ６０６を表示部６０から削除する。なお、テナントが指定されていないと判断した場合は（Ｓ７２のＮｏ）、制御部５００は、テナントを指定するように促すメッセージを表示部６０に表示するエラー処理を実行する（Ｓ６７）。そして制御部５００は、Ｓ５３の状況表示画面６０ａに戻る。
【００６７】
図１０は、Ｓ７３において、指定された商品券の項目について、変換データ６８と売上データ６９を並べて表示した例である。図１０において、表示部６０は、商品券の項目に関する詳細内容７１を並べて表示する。詳細内容７１とは、商品券名７２、データ部５４２に記憶された商品券の数７４、データ部５４２に記憶された商品券の金額７５、売上げデータ部５４３に記憶された商品券の数７６、売上データ部５４３に記憶された商品券の金額７７である。
【００６８】
また、表示部６０には、訂正を確定するための確定ボタン６６、表示部６０の表示を図８の状況表示画面６０ａに戻す状況表示ボタン６７、精査業務を終了する終了ボタン６５を表示される。なお、詳細内容７１、確定ボタン６６、状況表示ボタン６７、終了ボタンは、タブ６０６内に同時に表示されている。また、状況表示画面が表示されたタブ６０３は表示部６０から削除されている。
【００６９】
担当者は、図１０のように表示された変換データとしての商品券の数および金額と、売上データとしての商品券の数および金額を確認して、誤っているデータを訂正する。担当者は、訂正するデータを指定して、操作部５７から正しいデータを入力して、誤っているデータを訂正する。そして担当者は、訂正が終了したら、確定ボタン６６を操作する。
【００７０】
なお、売上げデータ部５４３に売上データが記憶されていない場合（すなわち、Ｓ５１のＮｏの場合）は、売上げデータが表示されない。この場合は、担当者は、送付された精算レシートや商品券に基づいて正しいデータに訂正する。
【００７１】
制御部５００は、以降Ｓ６４〜Ｓ６６の処理を実行する。また、商品券ボタン６３は操作されていないと判断した場合は（Ｓ７１のＮｏ）、制御部５００は、終了ボタン６５が操作されたか否かを判断する（Ｓ８１）。操作されたと判断した場合は（Ｓ８１のＹｅｓ）、制御部５００は、Ｓ４１に戻る。また操作されていないと判断した場合は（Ｓ８１のＮｏ）、制御部５００は、Ｓ６１に戻る。
【００７２】
このような実施形態によれば、担当者が、確認業務を実行中に、Ｓ５３で表示された状況表示画面６０ａにおいて、精算ボタン６２または商品券ボタン６３を操作する。すると、制御部５００は、訂正業務が可能な精査業務を起動して、状況表示画面６０ａから訂正するテナントの訂正する項目について、データを表示する。このように、従来は、確認業務において訂正が必要となった場合に、一旦トップメニューに戻ってから、訂正するテナントの入力や勘定日の入力等の操作をして訂正作業をしなければならないところ、実施形態では、同じタブの画面を維持したまま、確認業務から直接変換データの訂正作業が行える精査業務を起動できる。
【００７３】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれるとともに、特許請求の範囲に記載された発明とその均等の範囲に含まれる。
【００７４】
例えば、実施形態では、画像処理装置４が読み取ったテナントコードに基づいて同じテナント２の変換データを合算したが、テナント管理サーバ５がこの合算処理を行ってもよい。
【００７５】
また、実施形態では、テナント２を店舗の一例として説明したが、テナント２以外の店舗であってもよい。
【００７６】
また、実施形態では、項目の例として精算レシートと商品券を用いて説明したが、他の種類の項目であってもよい。
【００７７】
なお、実施形態のテナント管理サーバ５で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００７８】
また、実施形態のテナント管理サーバ５で実行されるプログラムを、インターネット等のネットワークに接続されたコンピュータ上に格納し、ネットワーク経由でダウンロードさせることにより提供するように構成しても良い。また、実施形態のテナント管理サーバ５で実行されるプログラムをインターネット等のネットワーク経由で提供または配布するように構成しても良い。
【００７９】
また、実施形態のテナント管理サーバ５で実行されるプログラムを、ＲＯＭ等に予め組み込んで提供するように構成してもよい。
【符号の説明】
【００８０】
２  テナント
３  ＰＯＳ端末
４  画像処理装置
５  テナント管理サーバ
４７  読取部
６０  表示部
４００  制御部
４４３  データ部
５００  制御部
５０１  データ入力手段
５０２  表示手段
５０３  項目表示手段
５０４  訂正手段
５０５  入力手段
５４２  データ部
５４３  売上データ部
【先行技術文献】
【特許文献】
【００８１】
【特許文献１】特開２００１−３０６９７２号公報
【図１】
2016133917.tif 000003
【図２】
2016133917.tif 000004
【図３】
2016133917.tif 000005
【図４】
2016133917.tif 000006
【図５】
2016133917.tif 000007
【図６】
2016133917.tif 000008
【図７】
2016133917.tif 000009
【図８】
2016133917.tif 000010
【図９】
2016133917.tif 000011
【図１０】
2016133917.tif 000012